【手続補正書】
【提出日】令和3年9月17日(2021.9.17)
【手続補正１】
【補正対象書類名】特許請求の範囲
【補正対象項目名】全文
【補正方法】変更
【補正の内容】
【特許請求の範囲】
【請求項１】
登録装置及び決済装置を含み、
前記登録装置は、
商取引に関する決済処理に関わるサービスの利用者を識別するための利用者コードを取得する取得手段と、
前記取得手段により取得された利用者コードを前記決済装置に送信するものであり、前記取得手段が利用者コードを複数取得した場合には、前記取得手段が最も後に取得した利用者コードを送信する送信手段と、
同一顧客に関する複数の商取引を連続して行う連続取引の実施を操作者による指示に応じて決定する決定手段と、
を備え、
前記決済装置は、
商取引に関する決済処理を行う決済手段と、
前記送信手段により送信された利用者コードを受信する受信手段と、
前記決定手段により連続取引の実施が決定されており、かつ前記受信手段により利用者コードが受信されているならば、前記受信手段により受信された利用者コードを用いた前記サービスを、連続取引に含まれる複数の商取引のそれぞれに適用するための処理を行う処理手段と、
を具備するチェックアウトシステム。
【請求項２】
前記処理手段は、前記決済手段により行われる決済処理における割引サービス、前記決済手段により行われた決済処理の結果に応じたポイントサービス、及び前記決済手段により行われた決済処理の対象である商取引の内容をネットワークを介して閲覧可能とする電子レシートサービスのいずれか１つを前記サービスとして適用するための処理を行う、
請求項１に記載のチェックアウトシステム。
【請求項３】
前記処理手段は、前記決済手段により行われる複数の決済処理による決済の結果に応じてそれぞれ定まる複数のポイントを、前記受信手段により受信された利用者コードで特定される１つのポイント口座に付与するための処理を行う、
請求項１又は請求項２に記載のチェックアウトシステム。
【請求項４】
決済装置とともにチェックアウトシステムを構成する登録装置であって、
商取引に関する決済処理に関わるサービスの利用者を識別するための利用者コードを取得する取得手段と、
前記取得手段により取得された利用者コードを前記決済装置に送信するものであり、前記取得手段が利用者コードを複数取得した場合には、前記取得手段が最も後に取得した利用者コードを送信する送信手段と、
同一顧客に関する複数の商取引を連続して行う連続取引の実施を操作者による指示に応じて決定する決定手段と、
を具備する登録装置。
【請求項５】
決済装置とともにチェックアウトシステムを構成する登録装置に備えられたコンピュータを、
商取引に関する決済処理に関わるサービスの利用者を識別するための利用者コードを取得する取得手段と、
前記取得手段により取得された利用者コードを前記決済装置に送信するものであり、前記取得手段が利用者コードを複数取得した場合には、前記取得手段が最も後に取得した利用者コードを送信する送信手段と、
同一顧客に関する複数の商取引を連続して行う連続取引の実施を操作者による指示に応じて決定する決定手段と、
して機能させるための情報処理プログラム。
【請求項６】
登録装置とともにチェックアウトシステムを構成する決済装置であって、
商取引に関する決済処理を行う決済手段と、
前記登録装置において最も後に取得された決済処理に関わるサービスの利用者を識別するための利用者コードであって、前記登録装置から送信された利用者コードを受信する受信手段と、
同一顧客に関する複数の商取引を連続して行う連続取引の実施が前記登録装置において決定されており、かつ前記受信手段により利用者コードが受信されているならば、前記受信手段により受信された利用者コードを用いた前記サービスを、連続取引に含まれる複数の商取引のそれぞれに適用するための処理を行う処理手段と、
を具備した決済装置。
【請求項７】
登録装置とともにチェックアウトシステムを構成するものであり、前記登録装置において最も後に取得された決済処理に関わるサービスの利用者を識別するための利用者コードであって、前記登録装置から送信された利用者コードを受信する受信デバイスを有する決済装置に備えられたコンピュータを、
商取引に関する決済処理を行う決済手段と、
同一顧客に関する複数の商取引を連続して行う連続取引の実施が前記登録装置において決定されており、かつ前記受信デバイスにより利用者コードが受信されているならば、前記受信デバイスにより受信された利用者コードを用いた前記サービスを、連続取引に含まれる複数の商取引のそれぞれに適用するための処理を行う処理手段と、
して機能させるための情報処理プログラム。
【手続補正２】
【補正対象書類名】明細書
【補正対象項目名】発明の名称
【補正方法】変更
【補正の内容】
【発明の名称】チェックアウトシステム、登録装置、決済装置及び情報処理プログラム
【手続補正３】
【補正対象書類名】明細書
【補正対象項目名】０００１
【補正方法】変更
【補正の内容】
【０００１】
本発明の実施形態は、チェックアウトシステム、登録装置、決済装置及び情報処理プログラムに関する。
【手続補正４】
【補正対象書類名】明細書
【補正対象項目名】０００８
【補正方法】変更
【補正の内容】
【０００８】
本発明が解決しようとする課題は、連続取引と利用者コードと関連付けてのサービス適用とをともに実施する場合における操作者の手間を軽減できるチェックアウトシステム、登録装置、決済装置及び情報処理プログラムを提供することである。
【手続補正５】
【補正対象書類名】明細書
【補正対象項目名】０００９
【補正方法】変更
【補正の内容】
【０００９】
実施形態のチェックアウトシステムは、取得手段、送信手段及び決定手段を備えた登録装置と、決済手段、受信手段及び処理手段を備える決済装置とを含む。取得手段は、商取引に関する決済処理に関わるサービスの利用者を識別するための利用者コードを取得する。送信手段は、取得手段により取得された利用者コードを決済装置に送信するものであり、取得手段が利用者コードを複数取得した場合には、取得手段が最も後に取得した利用者コードを送信する。決定手段は、同一顧客に関する複数の商取引を連続して行う連続取引の実施を操作者による指示に応じて決定する。決済手段は、商取引に関する決済処理を行う。受信手段は、送信手段により送信された利用者コードを受信する。処理手段は、決定手段により連続取引の実施が決定されており、かつ受信手段により利用者コードが受信されているならば、受信手段により受信された利用者コードを用いたサービスを、連続取引に含まれる複数の商取引のそれぞれに適用するための処理を行う。
【手続補正６】
【補正対象書類名】明細書
【補正対象項目名】００６９
【補正方法】変更
【補正の内容】
【００６９】
カードリーダライタ１１ｉが、ポイントカードから利用者コードを読み取り、これをＣＰＵ１１ａに通知すると、ＣＰＵ１１ａはＡｃｔ１３にてＹｅｓと判定し、Ａｃｔ１６へと進む。
Ａｃｔ１６においてＣＰＵ１１ａは、カードリーダライタ１１ｉから通知された利用者コードをＲＡＭ１１ｃ又は補助記憶ユニット１１ｄの利用者コードエリアに保存する。なお、利用者コードエリアに既に利用者コードが保存されている場合には、今回通知された新たな利用者コードによって利用者コードエリアを上書きする。
Ａｃｔ１７においてＣＰＵ１１ａは、ポイントフラグをセットする。そしてＣＰＵ１１ａはこののち、Ａｃｔ１３〜Ａｃｔ１の待ち受け状態に戻る。
【手続補正７】
【補正対象書類名】明細書
【補正対象項目名】００７７
【補正方法】変更
【補正の内容】
【００７７】
Ａｃｔ２３においてＣＰＵ１１ａは、タッチパネル１１ｇの画面の一部領域を第２の選択画面とする。
図９は一例としての第２の選択画面ＳＣ４を示す図である。なお、図９において図８と同一の要素には同一の符号を付し、その詳細な説明は省略する。
第２の選択画面ＳＣ４は、表示エリアＡＲ１，ＡＲ２，ＡＲ３，ＡＲ４，ＡＲ５及びボタンＢ１，Ｂ２，Ｂ４，Ｂ５，Ｂ６，Ｂ７，Ｂ８を含む。
つまり第２の選択画面ＳＣ４は、第１の選択画面ＳＣ３からボタンＢ３を省いた画面である。これにより第２の選択画面ＳＣ４は、連続取引のための買上登録を開始することの従業員２１による指定を入力することができない画面となっている。
【手続補正８】
【補正対象書類名】明細書
【補正対象項目名】０１１３
【補正方法】変更
【補正の内容】
【０１１３】
以上のように、商品登録装置１１では、連続取引の際にポイントサービスの適用を買物客２２が希望する場合には、連続取引において生成される複数の決済情報のそれぞれに、カードリーダライタ１１ｉが取得した１つの利用者コードがそれぞれ含められる。そして決済装置１２では、連続取引の複数の決済情報を受信し、これら複数の決済情報に利用者コードが含まれる場合には、それぞれの利用者コードに関連するポイント口座に、すなわち同一のポイント口座へとポイントが付与される。したがって制御プログラムに基づく制御処理をＣＰＵ１２ａが実行することによって、ＣＰＵ１２ａを中枢部分とするコンピュータは処理手段として機能する。なおここでは、Ａｃｔ５６及びＡｃｔ６３の処理が、利用者コードを用いたサービスを商取引に適用するための処理に相当する。
かくしてチェックアウトシステム１０によれば、連続取引の複数の商取引のそれぞれでポイントサービスを適用する場合であっても、従業員２１又は買物客２２は利用者コードを商品登録装置１１に取得させるための操作を１度だけ行えば良い。つまりチェックアウトシステム１０によれば、連続取引と、利用者コードと関連付けてのサービスの１つであるポイントサービスの適用とをともに実施する場合における操作者の手間を軽減できる。
【手続補正９】
【補正対象書類名】明細書
【補正対象項目名】０１１４
【補正方法】変更
【補正の内容】
【０１１４】
またチェックアウトシステム１０によれば、連続取引の対象である複数の商取引のそれぞれに対するポイントサービスの適用に同一の利用者コードを利用する。しかしながらチェックアウトシステム１０によれば、その利用する利用者コードは、小計ボタンがタッチされるまでの期間において最後に取得された利用者コードとしている。このため、従業員２１又は買物客２２は、小計ボタンにタッチする前であれば、ポイントサービス適用に利用する利用者コードを適宜に変更できる。
【手続補正１０】
【補正対象書類名】明細書
【補正対象項目名】０１２０
【補正方法】変更
【補正の内容】
【０１２０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
以下に、本願の当初の特許請求の範囲に記載された発明を付記する。
［付記１］  商取引に関する決済処理を行う決済手段と、
前記決済処理に関わるサービスの利用者を識別するための利用者コードを取得する取得手段と、
同一顧客に関する複数の商取引を連続して行う連続取引の実施を操作者による指示に応じて決定する決定手段と、
前記決定手段により前記連続取引の実施が決定されており、かつ前記取得手段により前記利用者コードが取得されているならば、当該利用者コードを用いた前記サービスを、前記連続取引に含まれる複数の前記商取引のそれぞれに適用するための処理を行う処理手段と、
を具備したことを特徴とするチェックアウトシステム。
［付記２］  前記取得手段及び前記決定手段を備えた登録装置と、前記決済手段及び前記処理手段を備えた決済装置とを含み、
前記登録装置はさらに、
１つの商取引毎に前記決済手段による決済処理のための決済情報を生成する生成手段と、
前記連続取引に含まれる複数の前記商取引のそれぞれに関して前記生成手段により生成された複数の前記決済情報を前記決済装置に通知する第１の通知手段と、
前記取得手段により取得された前記利用者コードを前記決済装置に通知する第２の通知手段と、
を具備し、
前記決済手段は、前記第１の通知手段により通知された複数の前記決済情報のそれぞれに応じた決済処理を順次に行い、
前記処理手段は、前記第２の通知手段により通知された１つの前記利用者コードを用いた前記サービスを、前記決済処理による複数の決済処理のそれぞれに対して適用するための処理を行う、
ことを特徴とする付記１に記載のチェックアウトシステム。
［付記３］  前記処理手段は、前記決済における割引サービス、前記決済処理の結果に応じたポイントサービス、及び前記商取引の内容をネットワークを介して閲覧可能とする電子レシートサービスのいずれか１つを前記サービスとして適用するための処理を行う、ことを特徴とする付記１又は付記２に記載のチェックアウトシステム。
［付記４］  前記処理手段は、前記決済処理による複数の決済処理による決済の結果に応じてそれぞれ定まる複数のポイントを、１つの前記利用者コードで特定される１つのポイント口座に付与するための処理を行うことを特徴とする付記１又は２に記載のチェックアウトシステム。
［付記５］  前記処理手段は、前記取得手段が前記利用者コードを複数取得した場合には、前記取得手段が最も後に取得した前記利用者コードを用いた前記サービスを複数の商取引のそれぞれに適用するための処理を行うことを特徴とする付記１−４のいずれか一項に記載のチェックアウトシステム。